(57)【要約】【課題】この発明は、簡易な構成で、受信したデータ放送コンテンツの文字図形を、表示解像度の高いディスプレイに高品位に表示させることを可能としたデータ放送コンテンツ再生装置及びデータ放送コンテンツ再生方法を提供することを目的としている。【解決手段】受信したデジタル放送信号からデータ放送に対応するデジタル信号を取得する取得手段（４７）と、取得したデジタル信号からデータ放送コンテンツの文字図形に対応するデータをデコードするデコード手段（４８ｆ２）と、デコードされた文字図形データに基づいて、予め設定された規定解像度よりも高い解像度に対応した形態で文字図形を描画する描画手段（４８ｆ３）と、描画された文字図形に基づいて、その文字図形を描画した解像度で文字図形プレーンを作成する作成手段（４８ｆ４）とを備える。【選択図】      図４
2008067223.tif 000002
【特許請求の範囲】
【請求項１】
受信したデジタル放送信号からデータ放送に対応するデジタル信号を取得する取得手段と、
前記取得手段で取得したデジタル信号からデータ放送コンテンツの文字図形に対応するデータをデコードするデコード手段と、
前記デコード手段で得られた文字図形データに基づいて、予め設定された規定解像度よりも高い解像度に対応した形態で文字図形を描画する描画手段と、
前記描画手段で描画された文字図形に基づいて、この文字図形を描画した解像度で文字図形プレーンを作成する作成手段とを具備することを特徴とするデータ放送コンテンツ再生装置。
【請求項２】
前記描画手段は、予め設定された規定解像度を水平方向及び垂直方向にそれぞれ２倍に拡大した解像度に対応した形態で文字図形を描画することを特徴とする請求項１記載のデータ放送コンテンツ再生装置。
【請求項３】
前記描画手段は、水平方向画素数×垂直方向画素数が１９２０×１０８０と、水平方向画素数×垂直方向画素数が１４４０×９６０とのいずれかの解像度に対応した形態で文字図形を描画することを特徴とする請求項１記載のデータ放送コンテンツ再生装置。
【請求項４】
予め設定された規定解像度は、水平方向画素数×垂直方向画素数が９６０×５４０と、水平方向画素数×垂直方向画素数が７２０×４８０とのいずれかを含むことを特徴とする請求項１記載のデータ放送コンテンツ再生装置。
【請求項５】
前記作成手段で作成された文字図形プレーンに対して、予め設定された規定解像度よりも高い表示解像度に合わせるためにスケーリング処理を施すスケーリング手段を具備することを特徴とする請求項１記載のデータ放送コンテンツ再生装置。
【請求項６】
デジタル放送を受信する受信手段と、
前記受信手段で受信したデジタル放送信号からデータ放送に対応するデジタル信号を取得する取得手段と、
前記取得手段で取得したデジタル信号からデータ放送コンテンツの文字図形に対応するデータをデコードするデコード手段と、
前記デコード手段で得られた文字図形データに基づいて、予め設定された規定解像度よりも高い解像度に対応した形態で文字図形を描画する描画手段と、
前記描画手段で描画された文字図形に基づいて、この文字図形を描画した解像度で文字図形プレーンを作成する作成手段と、
前記作成手段で作成された文字図形プレーンを表示する表示手段とを具備することを特徴とするデジタル放送受信装置。
【請求項７】
前記受信手段で受信したデジタル放送信号から動画像及び静止画像のいずれかを含む画像プレーンを生成する生成手段と、
前記生成手段で生成された画像プレーンと前記作成手段で作成された文字図形プレーンとを合成して前記表示手段に供給する合成手段とを具備することを特徴とする請求項６記載のデジタル放送受信装置。
【請求項８】
受信したデジタル放送信号からデータ放送に対応するデジタル信号を取得する工程と、
取得したデジタル信号からデータ放送コンテンツの文字図形に対応するデータをデコードする工程と、
デコードされた文字図形データに基づいて、予め設定された規定解像度よりも高い解像度に対応した形態で文字図形を描画する工程と、
描画された文字図形に基づいて、この文字図形を描画した解像度で文字図形プレーンを作成する工程とを具備することを特徴とするデータ放送コンテンツ再生方法。
【発明の詳細な説明】
【技術分野】
【０００１】
この発明は、受信したデータ放送コンテンツの文字図形をディスプレイに表示させるためのデータ放送コンテンツ再生装置及びデータ放送コンテンツ再生方法に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなデジタル放送を受信するテレビジョン放送受信装置にあっては、そのディスプレイの高解像度化が促進されている。例えば、フルＨＤ（high definition）対応のディスプレイでは、その表示解像度が水平方向画素数×垂直方向画素数＝１９２０×１０８０であり、高精細かつ高品位な映像表示が行なえるようになっている。
【０００４】
一方、上記衛星デジタル放送の一環として実用化されているデータ放送では、現在、そのコンテンツである文字図形を表示するための文字図形プレーンの解像度が、水平方向画素数×垂直方向画素数＝９６０×５４０に規定されている。すなわち、文字図形プレーン内では、この規定解像度の中で文字図形が描画されている。
【０００５】
このため、現在では、規定解像度の文字図形プレーンを、上記したフルＨＤ対応のディスプレイに表示させるために、スケーリング処理により文字図形プレーンの解像度を水平方向及び垂直方向にそれぞれ２倍に拡大して、ディスプレイの表示解像度に合わせるようにしている。
【０００６】
しかしながら、文字図形プレーンの解像度をスケーリング処理により水平方向及び垂直方向にそれぞれ拡大するということは、もともと低い解像度の中で描画されていた文字図形が、水平方向及び垂直方向にそれぞれ単純に引き伸ばされることになるため、文字図形の輪郭が階段状に表示される等、文字図形の表示品位が低下することになる。
【０００７】
現在、スケーリング処理後の文字図形プレーンにフィルタリング処理を施して、輪郭が階段状になることを軽減させるようにしているが、それでも動画等に比べると表示品位の低下は免れず、逆に、強いフィルタリング処理を施した場合には、文字図形がなまって表示されるという恨みもある。
【０００８】
特許文献１には、文字データ解像度に対するモニタ部解像度の比を求め、モニタ部の解像度に合わせて文字データの解像度を変換することにより、表示すべき文字データの解像度とモニタ部の解像度とが異なる場合においても文字表示が可能となるようにした文字表示機器における文字データの表示方法が開示されている。
【特許文献１】特開２００２−２８７７３４
【発明の開示】
【発明が解決しようとする課題】
【０００９】
そこで、この発明は上記事情を考慮してなされたもので、簡易な構成で、受信したデータ放送コンテンツの文字図形を、表示解像度の高いディスプレイに高品位に表示させることを可能としたデータ放送コンテンツ再生装置及びデータ放送コンテンツ再生方法を提供することを目的とする。
【課題を解決するための手段】
【００１０】
この発明に係るデータ放送コンテンツ再生装置は、受信したデジタル放送信号からデータ放送に対応するデジタル信号を取得する取得手段と、取得手段で取得したデジタル信号からデータ放送コンテンツの文字図形に対応するデータをデコードするデコード手段と、デコード手段で得られた文字図形データに基づいて、予め設定された規定解像度よりも高い解像度に対応した形態で文字図形を描画する描画手段と、描画手段で描画された文字図形に基づいて、この文字図形を描画した解像度で文字図形プレーンを作成する作成手段とを備えるようにしたものである。
【００１１】
また、この発明に係るデータ放送コンテンツ再生方法は、受信したデジタル放送信号からデータ放送に対応するデジタル信号を取得する工程と、取得したデジタル信号からデータ放送コンテンツの文字図形に対応するデータをデコードする工程と、デコードされた文字図形データに基づいて、予め設定された規定解像度よりも高い解像度に対応した形態で文字図形を描画する工程と、描画された文字図形に基づいて、この文字図形を描画した解像度で文字図形プレーンを作成する工程とを備えるようにしたものである。
【発明の効果】
【００１２】
上記した発明によれば、文字図形を規定解像度よりも高い解像度に対応した形態で描画して文字図形プレーンを作成するようにしたので、簡易な構成で、受信したデータ放送コンテンツの文字図形を、表示解像度の高いディスプレイに高品位に表示させることが可能となる。
【発明を実施するための最良の形態】
【００１３】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１４】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等を備えた平面パネル型ディスプレイである映像表示器１４、スピーカ１５、操作部１６、リモートコントローラ１７から送信される操作情報を受ける受光部１８等が設置されている。
【００１５】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１６】
さらに、このデジタルテレビジョン放送受信装置１１には、例えば契約情報等の記録された第２のメモリカード［ＩＣ（integrated circuit）カード］２０が着脱可能となっている。そして、この第２のメモリカード２０に対して契約情報の再生が行なわれるようになっている。
【００１７】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ（institute of electrical and electronics engineers）１３９４端子２４を備えている。
【００１８】
このうち、第１のＬＡＮ端子２１は、ＬＡＮ対応ＨＤＤ専用ポートとして使用されるもので、接続されたＮＡＳ（network attached storage）であるＬＡＮ対応のＨＤＤ（hard disk drive）２５に対して、イーサネット（登録商標）により情報の記録再生を行なうために使用される。
【００１９】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００２０】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、ＨＤＤ内蔵のＤＶＤ（digital versatile disk）レコーダ２９等の機器を接続し、これらの機器と情報伝送を行なうために使用される。
【００２１】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２２】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２３】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２４】
さらに、上記ＩＥＥＥ１３９４端子２４は、例えばＡＶ（audio video）−ＨＤＤ４１、Ｄ（digital）−ＶＨＳ（video home system）４２等をシリアル接続し、これらの機器と情報伝送を行なうために使用される。
【００２５】
図２は、上記したデジタルテレビジョン放送受信装置１１の主要な信号処理系を示している。すなわち、ＢＳ／ＣＳデジタル放送受信用のアンテナ４３で受信した衛星デジタル放送信号は、入力端子４４を介して衛星デジタル放送用のチューナ４５に供給されることにより、所望のチャンネルの放送信号が選局される。
【００２６】
そして、このチューナ４５で選局された放送信号は、ＰＳＫ（phase shift keying）復調器４６に供給されてＴＳ（transport stream）が復調される。このＴＳは、ＴＳ復号器４７に供給されてデジタルの映像信号及び音声信号等に復号化された後、信号処理部４８に出力される。
【００２７】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００２８】
そして、このチューナ５１で選局された放送信号は、ＯＦＤＭ（orthogonal frequency division multiplexing）復調器５２に供給されてＴＳが復調される。このＴＳは、ＴＳ復号器５３に供給されてデジタルの映像信号及び音声信号に復号化された後、上記信号処理部４８に出力される。
【００２９】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されてアナログの映像信号及び音声信号に復調された後、上記信号処理部４８に出力される。
【００３０】
ここで、上記信号処理部４８は、ＴＳ復号器４７，５３からそれぞれ供給されたデジタルの映像信号及び音声信号に対して、選択的に所定のデジタル信号処理を施し、グラフィックス処理部５６及び音声処理部５７に出力している。
【００３１】
また、上記信号処理部４８には、複数（図示の場合は４つ）の入力端子５８ａ，５８ｂ，５８ｃ，５８ｄが接続されている。これら入力端子５８ａ〜５８ｄは、それぞれ、アナログの映像信号及び音声信号を、デジタルテレビジョン放送受信装置１１の外部から入力可能とするものである。
【００３２】
そして、この信号処理部４８は、上記アナログ復調器５５及び各入力端子５８ａ〜５８ｄからそれぞれ供給されたアナログの映像信号及び音声信号を選択的にデジタル化し、そのデジタル化された映像信号及び音声信号に対して所定のデジタル信号処理を施した後、グラフィックス処理部５６及び音声処理部５７に出力している。
【００３３】
このうち、グラフィックス処理部５６は、信号処理部４８から供給されるデジタルの映像信号に、ＯＳＤ（on screen display）信号生成部５９で生成されるＯＳＤ信号を重畳して出力する機能を有する。このグラフィックス処理部５６は、信号処理部４８の出力映像信号と、ＯＳＤ信号生成部５９の出力ＯＳＤ信号とを選択的に出力すること、また、両出力をそれぞれ画面の半分を構成するように組み合わせて出力することができる。
【００３４】
そして、グラフィックス処理部５６から出力されたデジタルの映像信号は、映像処理部６０に供給される。この映像処理部６０は、入力されたデジタルの映像信号を、前記映像表示器１４で表示可能なフォーマットのアナログ映像信号に変換した後、映像表示器１４に出力して映像表示させるとともに、出力端子６１を介して外部に導出させる。
【００３５】
また、上記音声処理部５７は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３６】
ここで、このデジタルテレビジョン放送受信装置１１は、上記した各種の受信動作を含むその全ての動作を制御部６３によって統括的に制御されている。この制御部６３は、ＣＰＵ（central processing unit）６３ａを内蔵しており、前記操作部１６からの操作情報を受け、または、リモートコントローラ１７から送出された操作情報を前記受光部１８を介して受信し、その操作内容が反映されるように各部をそれぞれ制御している。
【００３７】
この場合、制御部６３は、主として、そのＣＰＵ６３ａが実行する制御プログラムを格納したＲＯＭ（read only memory）６３ｂと、該ＣＰＵ６３ａに作業エリアを提供するＲＡＭ（random access memory）６３ｃと、各種の設定情報及び制御情報等が格納される不揮発性メモリ６３ｄとを利用している。
【００３８】
また、この制御部６１は、カードＩ／Ｆ（interface）６４を介して、前記第１のメモリカード１９が装着可能なカードホルダ６５に接続されている。これによって、制御部６３は、カードホルダ６５に装着された第１のメモリカード１９と、カードＩ／Ｆ６４を介して情報伝送を行なうことができる。
【００３９】
さらに、上記制御部６３は、カードＩ／Ｆ６６を介して、前記第２のメモリカード２０が装着可能なカードホルダ６７に接続されている。これにより、制御部６３は、カードホルダ６７に装着された第２のメモリカード２０と、カードＩ／Ｆ６６を介して情報伝送を行なうことができる。
【００４０】
また、上記制御部６３は、通信Ｉ／Ｆ６８を介して第１のＬＡＮ端子２１に接続されている。これにより、制御部６３は、第１のＬＡＮ端子２１に接続されたＬＡＮ対応のＨＤＤ２５と、通信Ｉ／Ｆ６８を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４１】
さらに、上記制御部６３は、通信Ｉ／Ｆ６９を介して第２のＬＡＮ端子２２に接続されている。これにより、制御部６３は、第２のＬＡＮ端子２２に接続された各機器（図１参照）と、通信Ｉ／Ｆ６９を介して情報伝送を行なうことができる。
【００４２】
また、上記制御部６３は、ＵＳＢ Ｉ／Ｆ７０を介して前記ＵＳＢ端子２３に接続されている。これにより、制御部６３は、ＵＳＢ端子２３に接続された各機器（図１参照）と、ＵＳＢ Ｉ／Ｆ７０を介して情報伝送を行なうことができる。
【００４３】
さらに、上記制御部６３は、ＩＥＥＥ１３９４ Ｉ／Ｆ７１を介してＩＥＥＥ１３９４端子２４に接続されている。これにより、制御部６３は、ＩＥＥＥ１３９４端子２４に接続された各機器（図１参照）と、ＩＥＥＥ１３９４ Ｉ／Ｆ７１を介して情報伝送を行なうことができる。
【００４４】
ここにおいて、上記ＴＳ復号器４７及び信号処理部４８におけるデータ放送コンテンツや字幕コンテンツ等を含む映像成分に対する再生処理について説明する。すなわち、図３に示すように、上記ＰＳＫ復調器で復調されたＴＳは、入力端子４７ａを介してＴＳ復号器４７に供給される。
【００４５】
このＴＳ復号器４７は、入力されたＴＳから、動画像に対応するデジタル信号、静止画像に対応するデジタル信号、データ放送コンテンツの文字図形に対応するデジタル信号、字幕コンテンツに対応するデジタル信号をそれぞれ分離して、信号処理部４８に出力している。
【００４６】
このうち、動画像に対応するデジタル信号は、入力端子４８ａを介して信号処理部４８を構成する動画像再生処理部４８ｂに供給される。この動画像再生処理部４８ｂは、入力された動画像に対応するデジタル信号にデコード処理及び提示処理等を施して、上記映像表示器１４で表示可能な動画像プレーンを生成している。
【００４７】
また、上記静止画像に対応するデジタル信号は、入力端子４８ｃを介して信号処理部４８を構成する静止画像再生処理部４８ｄに供給される。この静止画像再生処理部４８ｄは、入力された静止画像に対応するデジタル信号にデコード処理及び提示処理等を施して、上記映像表示器１４で表示可能な静止画像プレーンを生成している。
【００４８】
さらに、上記データ放送コンテンツの文字図形に対応するデジタル信号は、入力端子４８ｅを介して信号処理部４８を構成する文字図形再生処理部４８ｆに供給される。この文字図形再生処理部４８ｆは、入力された文字図形に対応するデジタル信号にデコード処理及び提示処理等を施して、上記映像表示器１４で表示可能な文字図形プレーンを生成している。
【００４９】
また、上記字幕コンテンツに対応するデジタル信号は、入力端子４８ｇを介して信号処理部４８を構成する字幕再生処理部４８ｈに供給される。この字幕再生処理部４８ｈは、入力された字幕コンテンツに対応するデジタル信号にデコード処理及び提示処理等を施して、上記映像表示器１４で表示可能な字幕プレーンを生成している。
【００５０】
そして、上記動画像再生処理部４８ｂで生成された動画像プレーン、静止画像再生処理部４８ｄで生成された静止画像プレーン、文字図形再生処理部４８ｆで生成された文字図形プレーン、字幕再生処理部４８ｈで生成された字幕プレーンは、合成部４８ｉに供給されて重なり合わせられた後、出力端子４８ｊを介して上記グラフィックス処理部５６に出力され、以後、映像表示器１４による映像表示に供される。
【００５１】
ここで、図４は、上記文字図形再生処理部４８ｆの一例を示している。すなわち、上記入力端子４８ｅに供給された文字図形に対応するデジタル信号は、入力端子４８ｆ１を介して文字図形デコーダ４８ｆ２に供給されてデコード処理が施された後、レイアウト変換処理部４８ｆ３に供給される。
【００５２】
このレイアウト変換処理部４８ｆ３では、文字図形デコーダ４８ｆ２によってデコード処理された文字図形データに対して、文字図形のレイアウトは変更することなく、映像表示器１４の表示解像度（画素数）に対応した形態、つまり、その表示解像度の中で最も高品位な形態で文字図形を描画することができるように、表示画面上での座標（画素位置）を設定している。
【００５３】
すなわち、映像表示器１４の表示解像度が、フルＨＤに対応した水平方向画素数×垂直方向画素数＝１９２０×１０８０であるとすれば、同じ文字図形のレイアウトを保持したまま、その画素数の中で最も高品位な形態で文字図形が描画されるように、文字図形を表示するための画素を設定するようにしている。
【００５４】
このように描画された文字図形は、規定解像度（水平方向画素数×垂直方向画素数＝９６０×５４０）の中で描画された文字図形を、水平方向及び垂直方向にそれぞれ２倍に単純に引き伸ばしたもの（例えば、水平方向に３画素の距離を単純に６画素に伸ばしたもので、文字図形の輪郭が階段状に表示される等、表示品位が低下しているもの）に比して、格段に高品位な形態で表示されることになる。
【００５５】
そして、レイアウト変換処理部４８ｆ３で描画処理された文字図形データは、文字図形プレーン作成部４８ｆ４に供給されて、映像表示器１４の表示解像度（すなわち、水平方向画素数×垂直方向画素数＝１９２０×１０８０）に対応した解像度の文字図形プレーンの作成に供される。
【００５６】
その後、文字図形プレーン作成部４８ｆ４で作成された文字図形プレーンは、スケーリング処理部４８ｆ５により水平方向及び垂直方向に対しての微調整が施され、文字図形プレーン作成部４８ｆ６により最終的な文字図形プレーンに作成され、出力端子４８ｆ７を介して合成部４８ｉに出力されて他のプレーンとの合成に供される。
【００５７】
上記した実施の形態によれば、文字図形を規定解像度よりも高い映像表示器１４の表示解像度（水平方向画素数×垂直方向画素数＝１９２０×１０８０）に対応した高品位な形態で描画して文字図形プレーンを作成するようにしたので、後段のスケーリング処理部４８ｆ５によるスケーリング比率を少なくすることができる。
【００５８】
これにより、規定解像度（水平方向画素数×垂直方向画素数＝９６０×５４０）で描画された文字図形を、水平方向及び垂直方向にそれぞれ２倍に単純に引き伸ばすスケーリング処理を行なうものに比して、文字図形を格段に高品位な形態で表示することが可能となる。
【００５９】
なお、映像表示器１４としては、例えば、その表示解像度がＷＸＧＡ（wide extended graphics array）規格に対応したもの、つまり、表示解像度がフルＨＤ規格よりも少ない水平方向画素数×垂直方向画素数＝１３６６×７６８のものが用いられる場合もある。
【００６０】
この場合には、文字図形プレーン作成部４８ｆ４から出力されるフルＨＤ規格の表示解像度（水平方向画素数×垂直方向画素数＝１９２０×１０８０）に対応した形態で文字図形を描画して得られた文字図形プレーンに対して、後段のスケーリング処理部でＷＸＧＡ規格の表示解像度に対応するようにスケーリング処理を実行する。
【００６１】
このスケーリング処理は、文字図形プレーン作成部４８ｆ４で作成された文字図形プレーンを、表示画素数の少ない文字図形プレーンに縮小しており、しかも、その縮小率は１／２にすら達していないため、スケーリング処理後の文字図形プレーンによっても、高品位な文字図形を表示させることが可能となる。
【００６２】
また、文字図形プレーンの規定解像度としては、上記した水平方向画素数×垂直方向画素数＝９６０×５４０の他に、水平方向画素数×垂直方向画素数＝７２０×４８０も存在する。後者の規定解像度が採用される場合にも、レイアウト変換処理部４８ｆ３は、その規定解像度（水平方向画素数×垂直方向画素数＝７２０×４８０）を水平方向及び垂直方向にそれぞれ２倍にした水平方向画素数×垂直方向画素数＝１４４０×９６０なる表示解像度に対応した形態で文字図形を描画する。すなわち、文字図形プレーン作成部４８ｆ４は、水平方向画素数×垂直方向画素数＝１４４０×９６０なる表示解像度の文字図形プレレーンを作成する。
【００６３】
このレイアウト変換処理における“２倍”という数値は、文字図形プレーンの規定解像度（９６０×５４０，７２０×４８０）に対して、現在主流になりつつあるフルＨＤ（１９２０×１０８０）を想定した、実用上を考慮した最適値を意味する。
【００６４】
そして、映像表示器１４が、フルＨＤに対応した表示解像度（水平方向画素数×垂直方向画素数＝１９２０×１０８０）を有している場合には、その表示解像度に合わせるように、スケーリング処理部４８ｆ５により文字図形プレーンの解像度（水平方向画素数×垂直方向画素数＝１４４０×９６０）を水平方向及び垂直方向に拡大する。この場合、その拡大率は２倍にも達していないため、スケーリング処理後の文字図形プレーンによっても高品位な文字図形を表示させることが可能となる。
【００６５】
また、映像表示器１４が、ＷＸＧＡ規格の表示解像度（水平方向画素数×垂直方向画素数＝１３６６×７６８）を有している場合には、その表示解像度に合わせるように、スケーリング処理部４８ｆ５により文字図形プレーンの解像度（水平方向画素数×垂直方向画素数＝１４４０×９６０）を水平方向及び垂直方向に縮小する。この場合、その縮小率は１／２にも達していないため、スケーリング処理後の文字図形プレーンによっても、高品位な文字図形を表示させることが可能となる。
【００６６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６７】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置の映像成分に対する主要な再生処理系を説明するために示すブロック構成図。
【図４】同実施の形態におけるデジタルテレビジョン放送受信装置の文字図形再生処理部の一例を説明するために示すブロック構成図。
【符号の説明】
【００６８】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６…グラフィックス処理部、５７…音声処理部、５８ａ〜５８ｄ…入力端子、５９…ＯＳＤ信号生成部、６０…映像処理部、６１…出力端子、６２…出力端子、６３…制御部、６４…カードＩ／Ｆ、６５…カードホルダ、６６…カードＩ／Ｆ、６７…カードホルダ、６８…通信Ｉ／Ｆ、６９…通信Ｉ／Ｆ、７０…ＵＳＢ Ｉ／Ｆ、７１…ＩＥＥＥ１３９４ Ｉ／Ｆ。
【図１】
2008067223.tif 000003
【図２】
2008067223.tif 000004
【図３】
2008067223.tif 000005
【図４】
2008067223.tif 000006